(57)【要約】【課題】機器情報の追加、変更、削除などの作業が、間違えが抑制されてより容易に実施できるようにする。【解決手段】入力受付部１０２が受け付けた文字に一致する文字を含む機器名を、検索部１０３が、機器定義情報を機器名とともに記憶する記憶部１０１で検索し、検索した機器名を第１表示制御部１０４が、表示部１０８の第１表示領域に表示する。また、接続確認部１０５により確認されたネットワーク１２１への接続状態を、第２表示制御部１０６が、表示部１０８の第２表示領域に表示する。【選択図】  図１
2019016186.tif 000002
【特許請求の範囲】
【請求項１】
ネットワークを介して接続される管理対象の機器を定義する機器定義情報を機器を識別するための機器名とともに記憶する記憶部と、
入力部の操作による機器名の文字入力を受け付けるように構成された入力受付部と、
前記入力受付部が受け付けた文字に一致する文字を含む機器名を前記記憶部で検索するように構成された検索部と、
前記検索部が検索した機器名を表示部の第１表示領域に表示するように構成された第１表示制御部と、
前記検索部が検索した機器名の機器定義情報で定義される機器の前記ネットワークへの接続状態を確認するように構成された接続確認部と、
前記接続確認部が確認した接続状態を前記表示部の第２表示領域に表示するように構成された第２表示制御部と
を備えることを特徴とする表示装置。
【請求項２】
請求項１記載の表示装置において、
前記第１表示制御部は、前記検索部が検索した全ての機器名を前記第１表示領域に表示することを特徴とする表示装置。
【請求項３】
請求項２記載の表示装置において、
前記第１表示制御部は、前記検索部が検索した全ての機器名を前記第１表示領域に下方に並べて表示することを特徴とする表示装置。
【請求項４】
請求項１〜３のいずれか１項に記載の表示装置において、
前記第２表示領域は、前記第１表示領域の右側に隣接して配置されていることを特徴とする表示装置。
【請求項５】
請求項１〜４のいずれか１項に記載の表示装置において、
前記入力受付部が受け付けた文字列が設定されている機器名の定義に一致するか否かを判定するように構成された判定部と、
前記検索部により検索される機器名がなく、かつ前記判定部が一致すると判断した場合に、前記入力受付部が受け付けた文字列を前記第１表示領域に表示するように構成された第３表示制御部と
を更に備えることを特徴とする表示装置。
【発明の詳細な説明】
【技術分野】
【０００１】
本発明は、機器管理装置が管理する機器の情報を表示する表示装置に関する。
【背景技術】
【０００２】
例えば、建築物に付帯している各設備の監視制御や、プラントなどの制御には制御システムが用いられ、更に機器管理装置が用いられている場合がある（特許文献１参照）。例えば、機器管理装置は、フィールドバスなどのネットワークにより接続している現場に設置されたプロセス機器や各種センサなどのフィールド機器との間で信号をやりとりし、従来では可搬型端末を現場でフィールド機器に直結して行っていた較正を上位からのパラメータ設定で行い、また、フィールド機器が正常に動作している状態に関する診断結果を表示している。
【０００３】
このような制御システムや機器管理装置において、例えば制御対象の構成が変更された場合などは、システムに設定する制御プログラムを変更し、また機器管理装置に設定するフィールド機器構成を変更するなどのエンジニアリング作業が発生する。
【先行技術文献】
【特許文献】
【０００４】
【特許文献１】特開２０１２−０１４３８８号公報
【発明の概要】
【発明が解決しようとする課題】
【０００５】
上述した機器管理のシステムにおいて、管理対象のフィールド機器が変更され、また、追加される場合、フィールド機器の定義情報の追加、変更、削除などの変更を行うエンジニアリング作業が行われる。この作業では、定義情報の変更対象の機器を特定することが重要となる。
【０００６】
しかしながら、上述した制御においては、多くの制御対象があり、エンジニアリング作業では、対象となるデータも非常に大量なものとなる。このため、対象となる機器名を間違えて入力（登録）すると、設定作業のやり直しとなる。また、このような変更では、対象となる機器との通信状態を確認することが重要となるが、この確認に時間を要するという問題があった。このように、機器管理における機器情報の追加、変更、削除などの作業は、間違えが発生しやすく手間であるという問題があった。
【０００７】
本発明は、以上のような問題点を解消するためになされたものであり、機器情報の追加、変更、削除などの作業が、間違えが抑制されてより容易に実施できるようにすることを目的とする。
【課題を解決するための手段】
【０００８】
本発明に係る表示装置は、ネットワークを介して接続される管理対象の機器を定義する機器定義情報を、機器を識別するための機器名とともに記憶する記憶部と、入力部の操作による機器名の文字入力を受け付けるように構成された入力受付部と、入力受付部が受け付けた文字に一致する文字を含む機器名を記憶部で検索するように構成された検索部と、検索部が検索した機器名を表示部の第１表示領域に表示するように構成された第１表示制御部と、検索部が検索した機器名の機器定義情報で定義される機器のネットワークへの接続状態を確認するように構成された接続確認部と、接続確認部が確認した接続状態を表示部の第２表示領域に表示するように構成された第２表示制御部とを備える。
【０００９】
上記表示装置において、第１表示制御部は、検索部が検索した全ての機器名を第１表示領域に表示する。また、第１表示制御部は、検索部が検索した全ての機器名を第１表示領域に下方に並べて表示する。
【００１０】
上記表示装置において、第２表示領域は、第１表示領域の右側に隣接して配置されている。
【００１１】
上記表示装置において、入力受付部が受け付けた文字列が設定されている機器名の定義に一致するか否かを判定するように構成された判定部と、検索部により検索される機器名がなく、かつ判定部が一致すると判断した場合に、入力受付部が受け付けた文字列を第１表示領域に表示するように構成された第３表示制御部とを更に備えるようにしてもよい。
【発明の効果】
【００１２】
以上説明したことにより、本発明によれば、機器情報の追加、変更、削除などの作業が、間違えが抑制されてより容易に実施できるという優れた効果が得られる。
【図面の簡単な説明】
【００１３】
【図１】図１は、本発明の実施の形態における表示装置の構成を示す構成図である。
【図２Ａ】図２Ａは、本発明の実施の形態における表示装置の表示例を示す構成図である。
【図２Ｂ】図２Ｂは、本発明の実施の形態における表示装置の表示例を示す構成図である。
【図２Ｃ】図２Ｃは、本発明の実施の形態における表示装置の表示例を示す構成図である。
【図２Ｄ】図２Ｄは、本発明の実施の形態における表示装置の表示例を示す構成図である。
【図３】図３は、本発明の実施の形態における表示装置の動作例を説明するためのフローチャートである。
【図４】図４は、本発明の実施の形態における表示装置のハードウエア構成を示す構成図である。
【発明を実施するための形態】
【００１４】
以下、本発明の実施の形態における表示装置ついて図１を参照して説明する。この表示装置は、記憶部１０１、入力受付部１０２、検索部１０３、第１表示制御部１０４、接続確認部１０５、第２表示制御部１０６、入力部１０７、表示部１０８を備える。
【００１５】
記憶部１０１は、ネットワーク１２１を介して接続される管理対象のフィールド機器（機器）１２２を定義する機器定義情報を、フィールド機器１２２を識別するための機器名とともに記憶する。機器定義情報は、例えば、フィールド機器１２２のコントローラ情報、Ｉ／Ｏモジュール情報、フィールド機器１２２のタイプ、コントローラ情報、Ｉ／Ｏモジュール情報、ネットワーク１２１におけるフィールド機器１２２の接続割り当て情報、フィールド機器１２２における処理情報などから構成されている。
【００１６】
入力受付部１０２は、入力部１０７の操作による機器名の文字入力を受け付ける。入力部１０７は、例えば、キーボードである。入力受付部１０２は、入力部１０７のキー操作による機器名の文字入力を受け付ける。例えば、図２Ａに示すような機器名の入力を受け付けるダイアログボックスの表示において、入力欄に対する機器名の文字入力を受け付ける。入力部１０７に対する操作がされ、例えば、「Ｐ０００」が入力されると、図２Ｂに示すように、入力欄に入力された文字列が表示される。
【００１７】
検索部１０３は、入力受付部１０２が受け付けた文字に一致する文字を含む機器名を記憶部１０１で検索する。第１表示制御部１０４は、検索部１０３が検索した機器名を表示部１０８の第１表示領域に表示する。例えば、「Ｐ０００」が入力され、この文字列に一致する文字を含む機器名として、「Ｐ０００１−ＰＶ」、「Ｐ０００２−ＰＶ」、「Ｐ０００３−ＰＶ」が記憶部１０１に記憶されている場合、図２Ｂに示すように、第１表示制御部１０４は、検索部１０３が検索した全ての機器名を第１表示領域１３１に表示する。なお、この例では、第１表示制御部１０４は、検索部１０３が検索した全ての機器名を第１表示領域１３１において、下方に並べて表示している。
【００１８】
接続確認部１０５は、検索部１０３が検索した機器名の機器定義情報で定義されるフィールド機器１２２のネットワーク１２１への接続状態を確認する。第２表示制御部１０６は、接続確認部１０５が確認した接続状態を表示部１０８の第２表示領域に表示する。例えば、図２Ｂに示すように、第１表示領域１３１の右側に隣接して配置されている第２表示領域１３２に、機器名に対応させて接続状態を表示する。この例では、接続されている場合「Ｏｎｌｉｎｅ」と表示され、接続されていない（未接続の）場合「Ｏｆｆｌｉｎｅ」と表示される。
【００１９】
ここで、図２Ｃに示すように、入力受付部１０２が受け付けた文字列が「Ｐ０００１−ＰＶ」となると、これは機器名となり、この文字列に一致する文字を含む機器名は、記憶部１０１には、「Ｐ０００１−ＰＶ」のみとなる。このため、図２Ｂに示す段階では複数の機器名が表示されていた第１表示領域１３１には、「Ｐ０００１−ＰＶ」のみが表示される状態となる。
【００２０】
また、この表示装置は、判定部１０９，第３表示制御部１１０を備える。判定部１０９は、入力受付部１０２が受け付けた文字列が設定されている機器名の定義に一致するか否かを判定する。第３表示制御部１１０は、検索部１０３により検索される機器名がなく、かつ判定部が一致すると判断した場合に、入力受付部１０２が受け付けた文字列を第１表示領域に表示する。
【００２１】
例えば、機器名が、５文字の機器タグと２文字の機器タイプとがハイフンで接続されているものと定義されている場合を考える。この定義の場合、図２Ｄに示すように、入力受付部１０２が受け付けた文字列が「Ｐ００１０−ＰＶ」となれば、判定部１０９は、入力された文字列が機器名の定義に一致したものと判定する。
【００２２】
このような判定部１０９の判定に加え、検索部１０３の検索で、受け付けた文字列「Ｐ００１０−ＰＶ」が記憶部１０１に記憶されていない場合、図２Ｄに示すように、第３表示制御部１１０は、入力受付部１０２が受け付けた文字列「Ｐ００１０−ＰＶ」を第１表示領域１３１に表示する。また、第２表示領域１３２には、未接続であることを示す「Ｏｆｆｌｉｎｅ」が表示される。加えて、この文字列の機器名は、未登録（未定義）であることを示す「Ｕｎｄｅｆｉｎｅｄ」が表示される。
【００２３】
次に、本発明の実施の形態における表示装置の動作例について、図３を用いて説明する。
【００２４】
まず、入力受付部１０２が文字入力を受け付けると（ステップＳ１０１のｙｅｓ）、ステップＳ１０２で、検索部１０３が、受け付けた文字に一致する文字を含む機器名を記憶部１０１で検索する。受け付けた文字列に一致する文字を含む機器名が、記憶部１０１に記憶されている場合（ステップＳ１０３のｙｅｓ）、ステップＳ１０４で、第１表示制御部１０４が、検索された機器名を表示部１０８の第１表示領域に表示する。
【００２５】
次に、接続確認部１０５により、検索部１０３が検索した機器名の機器定義情報で定義されるフィールド機器１２２が、ネットワーク１２１に接続されていることが確認されると（ステップＳ１０６のｙｅｓ）、ステップＳ１０７で、第２表示制御部１０６が、表示部１０８の第２表示領域に接続されている旨を表示する。一方、接続確認部１０５により、検索部１０３が検索した機器名の機器定義情報で定義されるフィールド機器１２２が、ネットワーク１２１に未接続であることが確認されると（ステップＳ１０６のｎｏ）、ステップＳ１０８で、第２表示制御部１０６が、表示部１０８の第２表示領域に未接続である旨を表示する。
【００２６】
また、ステップＳ１０３で、受け付けた文字列に一致する文字を含む機器名が、記憶部１０１に記憶されてない場合（ステップＳ１０３のｎｏ）、ステップＳ１０９で、判定部１０９が、入力受付部１０２が受け付けた文字列が設定されている機器名の定義に一致するか否かを判定する。受け付けた文字列が設定されている機器名の定義に一致する場合（ステップＳ１０９のｙｅｓ）、ステップＳ１１０で、第３表示制御部１１０が、入力受付部１０２が受け付けた文字列を第１表示領域に表示する。表示装置は、上述したステップＳ１０１〜ステップＳ１１０を、終了の指示を受け付けるまで継続する（ステップＳ１１１）。
【００２７】
なお、表示装置は、図３に示すように、ＣＰＵ（Central Processing Unit；中央演算処理装置）２０１と主記憶装置２０２と外部記憶装置２０３とネットワーク接続装置２０４となどを備えたコンピュータ機器であり、主記憶装置に展開されたプログラムによりＣＰＵが動作することで、上述した各機能が実現される。ネットワーク接続装置２０４は、ネットワーク２０５に接続する。また、各機能は、複数のコンピュータ機器に分散させるようにしてもよい。
【００２８】
以上に説明したように、本発明では、入力受付部が受け付けた文字に一致する文字を含む機器名を、機器定義情報を機器名とともに記憶する記憶部で検索し、ネットワークへの接続状態とともに表示する。これにより、機器情報の追加の際の機器名の入力ミスが防げ、機器の通信状態の確認時間を短縮することができるようになる。このように、本発明によれば、機器情報の追加、変更、削除などの作業が、間違えが抑制されてより容易により短時間で実施できるようになる。
【００２９】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００３０】
１０１…記憶部、１０２…入力受付部、１０３…検索部、１０４…第１表示制御部、１０５…接続確認部、１０６…第２表示制御部、１０７…入力部、１０８…表示部、１０９…判定部、１１０…第３表示制御部、１２１…ネットワーク、１２２…フィールド機器。
【図１】
2019016186.tif 000003
【図２Ａ】
2019016186.tif 000004
【図２Ｂ】
2019016186.tif 000005
【図２Ｃ】
2019016186.tif 000006
【図２Ｄ】
2019016186.tif 000007
【図３】
2019016186.tif 000008
【図４】
2019016186.tif 000009